【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
書類を撮像して得られた画像ファイルにおける複数の所定の項目に該当する部分を切り取った部分画像ファイルを作成する部分画像ファイル作成手段と、
前記作成されたそれぞれの部分画像ファイルのファイル名として、ユニーク且つランダムな文字列を設定する設定手段と、
前記作成された複数の部分画像ファイルを関連付ける関連付け手段、
を備えることを特徴とする情報処理装置。
【請求項２】
請求項１に記載の情報処理装置であって、
前記関連付け手段は、前記作成された複数の部分画像ファイルを関連付ける関連付けファイルを作成することを特徴とする情報処理装置。
【請求項３】
請求項２に記載の情報処理装置であって、
前記作成された複数の部分画像ファイルと、これらの前記関連付けファイルが別々の記憶装置に記憶されていることを特徴とする情報処理装置。
【請求項４】
請求項２又は３に記載の情報処理装置であって、
前記部分画像ファイル又は前記関連付けファイルの少なくとも何れか一方を暗号化する暗号化手段を更に備えることを特徴とする情報処理装置。
【請求項５】
請求項１乃至４の何れか一項に記載の情報処理装置と確認用端末装置とを有する情報処理システムであって、
前記情報処理装置は、
前記書類における所定の項目の記載内容を確認するための確認用書類を撮像して得られた確認用画像ファイルと、当該書類から作成された少なくとも一部の前記部分画像ファイルを前記確認用端末装置に送信する送信手段を更に備え、
前記確認用端末装置は、
前記情報処置装置から受信した確認用画像ファイルと部分画像ファイルを表示装置に表示させる表示制御手段と、
前記書類における所定の項目の記載内容についての確認結果の入力を受け付ける受付手段と、
を備えることを特徴とする情報処理システム。
【請求項６】
請求項１乃至４の何れか一項に記載の情報処理装置と文字入力用端末装置とを有する情報処理システムであって、
前記情報処理装置は、
前記部分画像ファイルを前記文字入力用端末装置に送信する送信手段を更に備え、
前記文字入力用端末装置は、
前記情報処置装置から受信した部分画像ファイルに基づく画像を表示装置に表示させる表示制御手段と、
前記表示装置により表示された画像により表される文字を入力するための入力手段と、
を備えることを特徴とする情報処理システム。
【請求項７】
情報処理装置が行う情報処理方法であって、
書類を撮像して得られた画像ファイルにおける複数の所定の項目に該当する部分を切り取った部分画像ファイルを作成する部分画像ファイル作成工程と、
前記作成されたそれぞれの部分画像ファイルのファイル名として、ユニーク且つランダムな文字列を設定する設定工程と、
前記作成された複数の部分画像ファイルを関連付ける関連付け工程と、
を含むことを特徴とする情報処理方法。
【請求項８】
コンピュータを、
書類を撮像して得られた画像ファイルにおける複数の所定の項目に該当する部分を切り取った部分画像ファイルを作成する部分画像ファイル作成手段、
前記作成されたそれぞれの部分画像ファイルのファイル名として、ユニーク且つランダムな文字列を設定する設定手段、
前記作成された複数の部分画像ファイルを関連付ける関連付け手段、
として機能させることを特徴とする情報処理プログラム。
【手続補正２】
【補正対象書類名】明細書
【補正対象項目名】０００８
【補正方法】変更
【補正の内容】
【０００８】
上記の課題を解決するために、請求項１に記載の発明は、書類を撮像して得られた画像ファイルにおける複数の所定の項目に該当する部分を切り取った部分画像ファイルを作成する部分画像ファイル作成手段と、前記作成されたそれぞれの部分画像ファイルのファイル名として、ユニーク且つランダムな文字列を設定する設定手段と、前記作成された複数の部分画像ファイルを関連付ける関連付け手段と、を備えることを特徴とする。
また、請求項２に記載の発明は、請求項１に記載の情報処理装置であって、前記関連付け手段は、前記作成された複数の部分画像ファイルを関連付ける関連付けファイルを作成することを特徴とする。
【手続補正３】
【補正対象書類名】明細書
【補正対象項目名】０００９
【補正方法】変更
【補正の内容】
【０００９】
また、請求項３に記載の発明は、請求項２に記載の情報処理装置であって、前記作成された複数の部分画像ファイルと、これらの前記関連付けファイルが別々の記憶装置に記憶されていることを特徴とする。
【手続補正４】
【補正対象書類名】明細書
【補正対象項目名】００１０
【補正方法】変更
【補正の内容】
【００１０】
また、請求項４に記載の発明は、請求項２又は３に記載の情報処理装置であって、前記部分画像ファイル又は前記関連付けファイルの少なくとも何れか一方を暗号化する暗号化手段を更に備えることを特徴とする。
【手続補正５】
【補正対象書類名】明細書
【補正対象項目名】００１１
【補正方法】変更
【補正の内容】
【００１１】
また、請求項５に記載の発明は、請求項１乃至４の何れか一項に記載の情報処理装置と確認用端末装置とを有する情報処理システムであって、前記情報処理装置は、前記書類における所定の項目の記載内容を確認するための確認用書類を撮像して得られた確認用画像ファイルと、当該書類から作成された少なくとも一部の前記部分画像ファイルを前記確認用端末装置に送信する送信手段を更に備え、前記確認用端末装置は、前記情報処置装置から受信した確認用画像ファイルと部分画像ファイルを表示装置に表示させる表示制御手段と、前記書類における所定の項目の記載内容についての確認結果の入力を受け付ける受付手段と、を備えることを特徴とする。
【手続補正６】
【補正対象書類名】明細書
【補正対象項目名】００１２
【補正方法】変更
【補正の内容】
【００１２】
また、請求項６に記載の発明は、請求項１乃至４の何れか一項に記載の情報処理装置と文字入力用端末装置とを有する情報処理システムであって、前記情報処理装置は、前記部分画像ファイルを前記文字入力用端末装置に送信する送信手段を更に備え、前記文字入力用端末装置は、前記情報処置装置から受信した部分画像ファイルに基づく画像を表示装置に表示させる表示制御手段と、前記表示装置により表示された画像により表される文字を入力するための入力手段と、を備えることを特徴とする。
【手続補正７】
【補正対象書類名】明細書
【補正対象項目名】００１３
【補正方法】変更
【補正の内容】
【００１３】
また、請求項７に記載の発明は、情報処理装置が行う情報処理方法であって、書類を撮像して得られた画像ファイルにおける複数の所定の項目に該当する部分を切り取った部分画像ファイルを作成する部分画像ファイル作成工程と、前記作成されたそれぞれの部分画像ファイルのファイル名として、ユニーク且つランダムな文字列を設定する設定工程と、前記作成された複数の部分画像ファイルを関連付ける関連付け工程と、を含むことを特徴とする。
【手続補正８】
【補正対象書類名】明細書
【補正対象項目名】００１４
【補正方法】変更
【補正の内容】
【００１４】
また、請求項８に記載の発明は、コンピュータを、書類を撮像して得られた画像ファイルにおける複数の所定の項目に該当する部分を切り取った部分画像ファイルを作成する部分画像ファイル作成手段、前記作成されたそれぞれの部分画像ファイルのファイル名として、ユニーク且つランダムな文字列を設定する設定手段、前記作成された複数の部分画像ファイルを関連付ける関連付け手段、として機能させることを特徴とする。